(57)【要約】【課題】綴じ針除去用爪片により除去された綴じ針を保持する機能を備えさせたステープラーを提供する。【解決手段】打ち込まれた綴じ針１を除去するための綴じ針除去用爪片３７をベース１１における一端部２１に突設しているステープラーにおいて、綴じ針除去用爪片３７の近傍には該綴じ針除去用爪片３７により除去された綴じ針１を吸着するための永久磁石５１を着脱自在に備えさせたことを特徴とするステープラー。永久磁石５１は一端５３ａをステープラーに固定した紐体５３を介してステープラーに取り付ける。【選択図】図１
0003127549.tif 000002
【実用新案登録請求の範囲】
【請求項１】
打ち込まれた綴じ針を除去するための綴じ針除去用爪片をベースにおける一端部に突設しているステープラーにおいて、
前記綴じ針除去用爪片の近傍には該綴じ針除去用爪片により除去された綴じ針を吸着するための永久磁石を着脱自在に備えさせたことを特徴とするステープラー。
【請求項２】
前記永久磁石は一端をステープラーに固定した紐体を介してステープラーに取り付けたことを特徴とする請求項１に記載のステープラー。
【考案の詳細な説明】
【技術分野】
【０００１】
本考案は、ステープラーに関するものである。
【背景技術】
【０００２】
ステープラーは、書類、紙片等を相互に止着し又は書類、紙片等を壁面等に止着するための簡便な道具として従来より広く使用されている。
【０００３】
本出願においては、ステープラーにより止着される書類、紙片等を「被止着物」という。
【０００４】
ステープラーとしては、例えば特開２００４−１４２０７４号公報に示すように、ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるものが知られている。
【０００５】
上記従来のステープラーにおいては、打ち込まれた綴じ針を除去するための綴じ針除去用爪片をベースにおける前記一端部に突設している。
【特許文献１】特開２００４−１４２０７４号公報
【考案の開示】
【考案が解決しようとする課題】
【０００６】
上記従来のステープラーにおいては、ベースをフレーム、押え板及びハンドルに対して約１８０度回動させて開いた状態で、壁における例えばプラスターボード等の下地上に貼設された表面材等に掲示物等の被止着物を止着することができる。図３参照。
【０００７】
このような場合、壁面における綴じ針の打ち込み作業と綴じ針の除去作業とを頻繁に繰り返すことがしばしばある。
【０００８】
しかるに、上記従来のステープラーは、綴じ針を除去するための綴じ針除去用爪片をベースにおける前記一端部に突設しているものの、該綴じ針除去用爪片は除去した綴じ針を保持する機能を有しない。従って、壁面に打ち込まれている綴じ針を該綴じ針除去用爪片により除去すると、綴じ針が落下し、床面に散乱することになる。床面に散乱した綴じ針を拾う作業は面倒であり、綴じ針の拾い残しが生ずることも往々にしてある。
【０００９】
このような問題を解決するために、本考案は、綴じ針除去用爪片により除去された綴じ針を保持する機能を備えさせたステープラーを提供しようとしてなされたものである。
【課題を解決するための手段】
【００１０】
上記課題を解決するために、本考案は下記のステープラーを提供する。
【００１１】
（１）打ち込まれた綴じ針を除去するための綴じ針除去用爪片をベースにおける一端部に突設しているステープラーにおいて、
前記綴じ針除去用爪片の近傍には該綴じ針除去用爪片により除去された綴じ針を吸着するための永久磁石を着脱自在に備えさせたことを特徴とするステープラー（請求項１）。
【００１２】
（２）前記永久磁石は一端をステープラーに固定した紐体を介してステープラーに取り付ける（請求項２）。
【考案の効果】
【００１３】
［請求項１の考案］  
壁面に打ち込まれている綴じ針を綴じ針除去用爪片により抜き取ると、抜き取られた綴じ針は、綴じ針除去用爪片の近傍に備えさせた永久磁石により吸着される。即ち、抜き取られた綴じ針が落下し、床面に散乱することはない。その結果、床面に散乱した綴じ針を拾う作業は不要となり、綴じ針の拾い残しが生ずることも皆無となる。作業者は、壁面から抜き取られた綴じ針を永久磁石に吸着させたまま、壁面に対する綴じ針の打ち込みを連続して行なうことができる。
【００１４】
永久磁石は着脱自在であるから、該永久磁石を綴じ針除去用爪片の近傍から取り外すことができる。従って、作業者は、適時に永久磁石を綴じ針除去用爪片の近傍から取り外すことにより、多数本の綴じ針をまとめて取り出して処理することができる。従って、作業効率が向上する。
【００１５】
［請求項２の考案］
永久磁石は紐体を介してステープラーに取り付けられているため、永久磁石は紐体を引くことにより取り付け位置から容易に取り出すことができる。また、永久磁石を鉄板を内設した家具等の垂直面に吸着させることにより、ステープラーを該家具等の垂直面に保持させることができる。
【考案を実施するための最良の形態】
【００１６】
まず、本考案のステープラーが上記従来のステープラーと共通する点について説明する。
【００１７】
本考案のステープラーは、上記従来のステープラーと同様に、ベース１１と、綴じ針１を収納するフレーム１３と、フレーム１３内の綴じ針１を押える押え板１５と、綴じ針１を打ち出す押刃１７を備えたハンドル１９とを一端部２１にて回動自在に軸２３を介して軸着し、該ベース１１には綴じ針１をクリンチするアンビル２５を備えさせ、該フレーム１３内にはガイド軸２７を前後方向に配設し、該ガイド軸２７にはスライダ２９を摺動自在に支持させ、該スライダ２９をバネ３１により常時前方に付勢してなるものである。
【００１８】
押刃１７は、ハンドル１９に固定されたバネ体１８の先端に形成され、該バネ体１８の他端２０は押え板１５を常時フレーム１３方向に付勢している。
【００１９】
ハンドル１９の押刃１７には中央孔４３が形成され、該中央孔４３には押え板１５の突端４５が遊嵌されている。
【００２０】
スライダ２９は、フレーム１３内の綴じ針１を常時前方に押す。
【００２１】
符号３３に示すものは、ハンドル１９をフレーム１３から離れる方向に回動させたときにバネ３１の力に抗してスライダ２９を後方に引く引き杆である。
【００２２】
符号３５に示すものはベース１１に一端を固定したバネである。
【００２３】
更に、打ち込まれた綴じ針１を除去するための綴じ針除去用爪片３７がベース１１における一端部２１に突設されている。
【００２４】
以下、本考案のステープラーが上記従来のステープラーと相違する点について説明する。
【００２５】
即ち、本考案においては、前記綴じ針除去用爪片３７の近傍には該綴じ針除去用爪片３７により除去された綴じ針１を吸着するための永久磁石５１を着脱自在に備えさせる。
【００２６】
永久磁石５１は、一例として、鉄製のフレーム１３の底面に吸着させる。
【００２７】
永久磁石５１は、好ましくは、一端５３ａをステープラーに固定した紐体５３を介してステープラーに取り付ける。
【００２８】
図３は、ベース１１をフレーム１３、押え板１５及びハンドル１９に対して約１８０度回動させて開いた状態で、壁における例えばプラスターボード等の下地５上に貼設されたクロス等の表面材７に掲示物等の被止着物３を止着している状態を示す。
【図面の簡単な説明】
【００２９】
【図１】本考案によるステープラーの一例を示す断面図である。
【図２】同上ステープラーの側面図である。
【図３】同上ステープラーの使用状態の一例を示す断面図である。
【符号の説明】
【００３０】
１  綴じ針
３  被止着物
５  下地
７  表面材
１１  ベース
１３  フレーム
１５  押え板
１７  押刃
１８  バネ体
１９  ハンドル
２０  他端
２１  一端部
２３  軸
２５  アンビル
２７  ガイド軸
２９  スライダ
３１  バネ
３３  引き杆
３５  バネ
３７  綴じ針除去用爪片
４３  中央孔
４５  突端
５１  永久磁石
５３  紐体
５３ａ  一端
【図１】
0003127549.tif 000003
【図２】
0003127549.tif 000004
【図３】
0003127549.tif 000005